(57)【要約】【課題】  衣服に付着する塵埃を捕集して内部に収容する機能を有し、部品点数が少なく低価格であり、使用者が容易に使用することができる衣服ブラシを提供する。【解決手段】  回転軸９を中心とする回転面からなる捕塵面２１を有する捕塵体２と、突起体６１と狭持体６３とを係合させることによって捕塵体２を着脱可能かつ回転可能に保持する筐体３とを備え、捕塵面２１に第１捕塵ブラシ４１を設け、筐体３のうち第１捕塵ブラシ４１と対向する面に第１除塵ブラシ５１を設ける。捕塵開口３３から露出する第１捕塵ブラシ４１を衣服に当てて動かして塵埃を捕集した後、操作部２７２を操作し捕塵体２を数回往復回転させることにより、第１捕塵ブラシ４１に捕集された塵埃は第１除塵ブラシ５１を経由して収塵室２２に移送される。また、捕塵体２を筐体３から外して収塵室２２内の塵埃を排出することができる。【選択図】  図２
2010154894.tif 000002
【特許請求の範囲】
【請求項１】
前後に延びる回転軸を中心とする回転面からなる捕塵面を外面に有し、内部には塵埃が収容される収塵室が設けられているとともに、外部と前記収塵室とを連通する収塵開口が上部に設けられた捕塵体と、
前記捕塵面と嵌合するガイド面を内面に有し、前記捕塵体が挿入される着脱開口が前方の端部に設けられているとともに塵埃を取り入れる捕塵開口が下部に設けられており、前記捕塵面の一部を前記捕塵開口から露出させつつ前記捕塵体を前記回転軸を中心に回転可能に保持する中空の筐体と、
前記捕塵面に設けられ、前記回転軸回りの一の方向に向けて傾倒した傾斜パイルからなる第１捕塵ブラシと、
前記捕塵開口に対して前記一の方向に隣接する第１縁部における前記ガイド面に設けられ、前記一の方向に向けて傾倒した傾斜パイルからなる第１除塵ブラシと、
前記捕塵体と前記筐体とを前記回転軸方向に互いに係合する係合手段とを備え、
前記着脱開口から前方に突出して外部に露出する操作部が前記捕塵体に設けられており、
前記回転軸に垂直な断面における前記捕塵面の半径が、後方から前方に向けて一定または単調に増加している
ことを特徴とする衣服ブラシ。
【請求項２】
前記捕塵面が後方から前方に向かって拡径する切頭円錐面であること
を特徴とする請求項１に記載の衣服ブラシ。
【請求項３】
前記係合手段が、前記捕塵体の後方の端部から前記回転軸に沿って突出する突起体と、
前記筐体に支持されつつ前記回転軸に向けて径方向に付勢され、前記突起体を狭持する狭持体とからなり、
前記狭持体は後方から前方に向けて縮径する切頭円錐面からなる傾斜面を備え、
前記突起体は前記回転軸の径方向外側に膨出して前記傾斜面に係合する膨出部を備える
ことを特徴とする請求項１または２に記載の衣服ブラシ。
【請求項４】
前記捕塵体の回転を所定の角度に規制する規制手段をさらに備える
ことを特徴とする請求項１〜３のいずれかに記載の衣服ブラシ。
【請求項５】
前記捕塵面を周方向に二分する分割線より前記一の方向側の前記捕塵面に、前記第１捕塵ブラシが設けられているとともに、
前記分割線より前記一の方向と反対の他の方向側の前記捕塵面に設けられ、前記他の方向に向けて傾倒した傾斜パイルからなる第２捕塵ブラシと、
前記捕塵開口に対して前記他の方向に隣接する第２縁部の前記ガイド面に設けられ、前記他の方向に向けて傾倒した傾斜パイルからなる第２除塵ブラシとをさらに備える
ことを特徴とする請求項１〜４のいずれかに記載の衣服ブラシ。
【請求項６】
前記筐体の後方の端部から柄が延設されている
ことを特徴とする請求項１〜５のいずれかに記載の衣服ブラシ。
【請求項７】
前記捕塵体の前方の端部を下にして自立可能に構成されている
ことを特徴とする請求項６に記載の衣服ブラシ。
【請求項８】
前記捕塵体の前方の端部から柄が延設されている
ことを特徴とする請求項１〜５のいずれかに記載の衣服ブラシ。
【発明の詳細な説明】
【技術分野】
【０００１】
本発明は、衣服に付着した塵埃を除去するのに適した衣服ブラシに関する。
【背景技術】
【０００２】
従来の衣服ブラシの一例として、特許文献１に記載されるような衣服ブラシが知られている。この衣服ブラシは、衣服に付着する塵埃を捕集した後、塵埃を外部に飛散させることなく衣服ブラシの内部に移送して収容することができるという利点がある。その一方で、機構部分を多く含むため部品点数が増加し、また高い形状精度および組立精度が必要となり、さらには組み立てに多くの工数を要するため、高価格となるという問題があった。また、塵埃を衣服ブラシの内部に移送するには、衣服の塵埃を直接捕集するブラシ面と、ブラシ面に付着した塵埃を掻き出す塵埃除去ブラシとが当接していることが必要であるが、部品の形状精度および組立精度が低い場合、それらの当接が確保されなくなったり、またはそれらの当接の圧力が非常に大きくなるおそれがあった。ブラシ面と塵埃除去ブラシとが当接しない場合は、捕集した塵埃を衣服ブラシの内部に移送して収容するという機能を発揮することができなくなり、また当接の圧力が大きくなると摩擦力のため本体部を回転させることが困難となるという問題があった。
【０００３】
一方、従来の衣服ブラシの他の例として特許文献２に記載されるような衣服ブラシも知られている。この衣服ブラシは、塵埃除去ブラシをブラシ面に向けて付勢する構成を採用しており、これによって、高い精度を必要とせずとも塵埃除去ブラシとブラシ面との当接を維持しつつ、また本体部の回転を阻害しない適正な当接の圧力を実現し、特許文献１に記載の衣服ブラシが有していた問題を解決していた。しかし、塵埃除去ブラシを付勢するための機構を含むため、部品点数および組み立て工数が増加し、高価格となるという問題があった。
【０００４】
また、従来の衣服ブラシは、先端がＲ形状となっており、非使用時には横にするか、柄の部分の穴を利用して吊るして保管するしかなく、立てて保管することができなかった。
【０００５】
【特許文献１】特開２００１−２５８６４４号公報
【特許文献２】特開２００２−２０９６３７号公報
【発明の開示】
【発明が解決しようとする課題】
【０００６】
そこで、従来の衣服ブラシと同様に、塵埃を内部に移送して収容する機能を確保しつつも、部品点数が少なく低価格であり、使用者が容易に使用および保管することができる衣服ブラシが求められていた。
【課題を解決するための手段】
【０００７】
本発明は、前記課題を解決するためになされたもので、請求項１に記載の発明は、前後に延びる回転軸を中心とする回転面からなる捕塵面を外面に有し、内部には塵埃が収容される収塵室が設けられているとともに、外部と前記収塵室とを連通する収塵開口が上部に設けられた捕塵体と、前記捕塵面と嵌合するガイド面を内面に有し、前記捕塵体が挿入される着脱開口が前方の端部に設けられているとともに塵埃を取り入れる捕塵開口が下部に設けられており、前記捕塵面の一部を前記捕塵開口から露出させつつ前記捕塵体を前記回転軸を中心に回転可能に保持する中空の筐体と、前記捕塵面に設けられ、前記回転軸回りの一の方向に向けて傾倒した傾斜パイルからなる第１捕塵ブラシと、前記捕塵開口に対して前記一の方向に隣接する第１縁部における前記ガイド面に設けられ、前記一の方向に向けて傾倒した傾斜パイルからなる第１除塵ブラシと、前記捕塵体と前記筐体とを前記回転軸方向に互いに係合する係合手段とを備え、前記着脱開口から前方に突出して外部に露出する操作部が前記捕塵体に設けられており、前記回転軸に垂直な断面における前記捕塵面の半径が、後方から前方に向けて一定または単調に増加していることを特徴とする衣服ブラシである。
【０００８】
請求項１に記載の発明によれば、捕塵開口から露出する捕塵面に設けられた第１捕塵ブラシを衣服に当接させつつ所定の方向に動かすことにより、衣服に付着した塵埃を捕集することができ、その後操作部を把持して捕塵体を回転させることにより、捕集された塵埃が捕塵体の内部の収塵室に移送され、その後捕塵体を筐体から分離して、収塵室内の塵埃を排出することが可能な衣服ブラシを提供することができる。すなわち、部品点数および機構部が少なく低価格であり、使用者にとって使いやすい衣服ブラシを提供することができる。
【０００９】
請求項２に記載の発明は、前記捕塵面が後方から前方に向かって拡径する切頭円錐面であることを特徴とする請求項１に記載の衣服ブラシである。
【００１０】
請求項２に記載の発明によれば、捕塵面の断面の半径が後方から前方に向けて単調に増加しているため、部品形状および組立に高精度を必要とすることなく、また調整作業を要することなく、捕塵ブラシと除塵ブラシとを当接させることが可能となる。また、捕塵ブラシと除塵ブラシとの間に作用する圧力は強すぎることはなく、そのため使用者は捕塵体を困難なく回転させることができる。さらに、捕塵体を着脱開口から挿入して筐体に装着する際、捕塵体の後端が筐体の内部の奥に到達するまで捕塵ブラシと除塵ブラシとが接触しないので、摩擦により挿入が阻害されることなく容易に装着することが可能であり、また着脱を繰り返しても捕塵ブラシおよび除塵ブラシの摩耗が少ない衣服ブラシを提供することができる。
【００１１】
請求項３に記載の発明は、前記係合手段が、前記捕塵体の後方の端部から前記回転軸に沿って突出する突起体と、前記筐体に支持されつつ前記回転軸に向けて径方向に付勢され、前記突起体を狭持する狭持体とからなり、前記狭持体は後方から前方に向けて縮径する切頭円錐面からなる傾斜面を備え、前記突起体は前記回転軸の径方向外側に膨出して前記傾斜面に係合する膨出部を備えることを特徴とする請求項１または２に記載の衣服ブラシである。
【００１２】
請求項３に記載の発明によれば、突起体を捕塵体から延設しつつ狭持体を筐体の内部に設けるという、簡易な構成で捕塵体と筐体とを回転軸方向に互いに係合することが可能となり、また捕塵体と筐体との分離および塵埃の排出が容易な衣服ブラシを提供することができる。
【００１３】
請求項４に記載の発明は、前記捕塵体の回転を所定の角度に規制する規制手段をさらに備えることを特徴とする請求項１〜３のいずれかに記載の衣服ブラシである。
【００１４】
請求項４に記載の発明によれば、使用者の意に反して捕塵開口と収塵室とが連通して、収塵室に収容された塵埃が外部に飛散するおそれがない衣服ブラシを提供することができる。
【００１５】
請求項５に記載の発明は、前記捕塵面を周方向に二分する分割線より前記一の方向側の前記捕塵面に、前記第１捕塵ブラシが設けられているとともに、前記分割線より前記一の方向と反対の他の方向側の前記捕塵面に設けられ、前記他の方向に向けて傾倒した傾斜パイルからなる第２捕塵ブラシと、前記捕塵開口に対して前記他の方向に隣接する第２縁部の前記ガイド面に設けられ、前記他の方向に向けて傾倒した傾斜パイルからなる第２除塵ブラシとをさらに備えることを特徴とする請求項１〜４のいずれかに記載の衣服ブラシである。
【００１６】
請求項５に記載の発明によれば、異なる２方向にブラッシング可能な衣服ブラシを提供することができる。また、第１捕塵ブラシおよび第２捕塵ブラシによって捕塵された塵埃を、同一の操作によって同時に収塵室へと移送することが可能になる。
【００１７】
請求項６に記載の発明は、前記筐体の後方の端部から柄が延設されていることを特徴とする請求項１〜５のいずれかに記載の衣服ブラシである。
【００１８】
請求項６に記載の発明によれば、使用者が柄を把持して衣服に付着した塵埃を除去することができ、また柄と操作部とを両手で把持して捻ることによって捕塵ブラシで捕集された塵埃を収塵室に移送することができ、取扱いが容易な衣服ブラシを提供することができる。
【００１９】
請求項７に記載の発明は、前記捕塵体の前方の端部を下にして自立可能に構成されていることを特徴とする請求項６に記載の衣服ブラシである。
【００２０】
請求項７に記載の発明によれば、前方の端部の方が後方の端部よりも断面の径が大きいため、柄を上にして立てた状態で安定して保管することができる衣服ブラシを提供することができる。
【００２１】
請求項８に記載の発明は、前記捕塵体の前方の端部から柄が延設されていることを特徴とする請求項１〜５のいずれかに記載の衣服ブラシである。
【００２２】
請求項８に記載の発明によれば、使用者が柄を把持して衣服に付着した塵埃を除去することができ、また柄が操作部の機能を兼ねるため、柄と筐体とを両手で把持して捻ることによって捕塵ブラシで捕集された塵埃を収塵室に移送することができ、取扱いが容易な衣服ブラシを提供することができる。
【発明の効果】
【００２３】
本発明によれば、捕塵開口から露出する捕塵面に設けられた第１捕塵ブラシを衣服に当接させつつ所定の方向に動かすことにより、衣服に付着した塵埃を捕集することができ、その後操作部を把持して捕塵体を回転させることにより、捕集された塵埃が捕塵体の内部の収塵室に移送され、その後捕塵体を筐体から分離して、収塵室内の塵埃を排出することが可能な衣服ブラシを提供することができる。すなわち、部品点数および機構部が少なく低価格であり、使用者にとって使いやすい衣服ブラシを提供することができる。
【発明を実施するための最良の形態】
【００２４】
つぎに、この発明の実施の形態について図面に基づき説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２５】
（第１の実施形態）
本発明の第１の実施形態に係る衣服ブラシを図１〜６に示す。図１（ａ）は、第１の実施形態に係る衣服ブラシを示す側面図であり、図１（ｂ）は底面図である。図２（ａ）は図１における断面Ａ−Ａを示す断面図であり、図２（ｂ）は図１における断面Ｂ−Ｂを示す断面図である。図３は、図２（ｂ）に示される突起体と狭持体との係合を拡大して示す拡大断面図である。図４は第１の実施形態に係る衣服ブラシに使用されている咬合体について前方から後方を見た正面図である。図５は第１の実施形態に係る衣服ブラシの除塵作用を示す説明図であり、図６は収容された塵埃を排出する方法を示す説明図である。なお以降の説明において、図１（ａ）における左手を前方、右手を後方とし、また図１（ａ）における上方を上方、下方を下方として記述する。
【００２６】
本実施形態にかかる衣服ブラシ１は、前後に延びる回転軸９を中心とし、後方から前方に向かって拡径する切頭円錐面からなる捕塵面２１を外面に有する捕塵体２と、捕塵面２１と嵌合するガイド面３１を内面に有する中空の筐体３とを主な構成要素とする。なお、本実施形態に係る衣服ブラシ１は捕塵面２１が切頭円錐面であるが、後方から前方に向かって断面が一定の円柱面とすることももちろん可能であり、さらに回転軸９を中心とする任意の回転面とすることも可能である。ただし、捕塵体２と筐体３とを脱着可能に構成するには、回転軸９に垂直な断面における半径が、後方から前方に向けて一定または単調に増加するような回転面である必要がある。ここで、本明細書において「回転面」とは、直線または曲線を異なる直線を中心に回転させて得られた図形を指すものとする。捕塵体２および筐体３の材料としては、加工およびコストの面から硬質プラスチックが好適であるが、適宜選択可能である。
【００２７】
捕塵体２は捕塵面２１の形状に沿った周壁２４、回転軸９に垂直に設けられ前方に位置する前方壁２５および回転軸９に垂直に設けられ後方に位置する後方壁２６を備え、周壁２４、前方壁２５および後方壁２６が、塵埃が収容される収塵室２２を内部に画成し、また収塵室２２と外部とを連通する収塵開口２３を上部に画成している。
【００２８】
筐体３の前方の端部には着脱開口３２が備えられ、着脱開口３２から捕塵体２が挿入されており、捕塵面２１とガイド面３１とが嵌合している。捕塵面２１およびガイド面３１はいずれも回転軸９を中心とする後方から前方に向けて断面の半径が単調に増加する回転面であるため、捕塵体２は筐体３に対して回転軸９を中心に回転可能であり、かつ着脱開口３２を通じて着脱可能となっている。
【００２９】
捕塵面２１の周方向中央には捕塵面２１を二分する分割線４３が有り、捕塵面２１のうち図２（ａ）で見て分割線４３より右側には、反時計方向に向けて傾倒した傾斜パイルからなる第１捕塵ブラシ４１が備えられており、捕塵面２１のうち図２（ａ）で見て分割線４３より左側には、時計方向に向けて傾倒した傾斜パイルからなる第２捕塵ブラシ４２が備えられている。
【００３０】
捕塵体２には、前方壁２５から前方に突出する突出壁２７が設けられ、そのうち着脱開口３２から前方に位置する部分は、使用者が捕塵体２を筐体３に対して相対的に捻るために把持される操作部２７２を形成している。図１および２に示す操作部２７２は、筐体３の外形に滑らかに沿った形状であるが、把持可能となるよう任意の形状とすることができる。例えば、前方壁２５から前方に向けて突出する突条のリブ（図示しない）を設けると、使用者はリブ（図示しない）をつまんで操作することが可能となる。また、突出壁２７の前方の端部２７１を回転軸９に略垂直な面上に形成すると、前方の端部の方が後方の端部よりも断面の径が大きいため、前方の端部２７１を下にして床や棚などに衣服ブラシ１を自立させた状態で安定して保管することができる。
【００３１】
捕塵体２の後方には、突起体６１が後方壁２６から回転軸９に沿って後方に向けて突設されている。図３に示すように、突起体６１は、後方壁２６から延出する円柱状の軸部６１３と、軸部６１３の後端から延設され、回転軸９から径方向外側に膨出しつつ、前方から後方に行くに従って拡径する膨出部６１１と、膨出部６１１の後端から延設される基部６１２とから構成されている。なお、軸部６１３のうち後方壁２６近傍について太軸に構成して太軸部６１３ａを形成し、さらに太軸部６１３ａと嵌合する部分を筐体２に設けることによって、後述のように捕塵体２が径方向にガタつくことを抑制することが可能となる。
【００３２】
筐体３は底面視で略台形状の捕塵開口３３を下方に備え、捕塵開口３３から捕塵体２の捕塵面２１の一部が露出している。図２（ａ）で見て捕塵開口３３の右側に隣接する第１縁部３４のガイド面３１には、反時計方向に向けて傾倒した傾斜パイルからなる第１除塵ブラシ５１が備えられており、第１捕塵ブラシ４１と当接している。また、図２（ａ）で見て捕塵開口３３の左側に隣接する第２縁部３５のガイド面３１には、時計方向に向けて傾倒した傾斜パイルからなる第２除塵ブラシ５２が備えられており、第２捕塵ブラシ４２と当接している。なお、捕塵開口３３の形状は図示の形状に限られず、任意の形状とすることができる。
【００３３】
筐体３の後方の端部には回転軸９に垂直な支持壁３６，３７が設けられており、それらの間に咬合体６２が収容されている。支持壁３６，３７にはそれぞれ回転軸９を中心とする円形の開口３６１，３７１が設けられており、捕塵体２が筐体３に挿入された際に、突起体６１を受容している。なお、開口３６１と軸部６１３の太軸部６１３ａとが嵌合するように開口３６１の径を設定することによって、捕塵体２が径方向にガタつくことを抑制することが可能となる。
【００３４】
咬合体６２は図４に示す通り、枠体６５と、枠体６５に接続されたばね体６４，・・・，６４と、ばね体６４により回転軸９に向けて径方向に付勢された狭持体６３，６３とから構成されている。狭持体６３は回転軸９を中心とする円弧形の切り欠き部６３２を備え、狭持体６３の後面６３ｂにおける切り欠き部６３２の周囲には、図３に示すように後方から前方に行くに従って縮径する切頭円錐面からなる傾斜面６３１が形成されており、突起体６１の膨出部６１１と係合している。これによって、捕塵体２と筐体３とが回転軸９方向に互いに係合することになる。なお、捕塵体２を筐体３に対して回転させる際、傾斜面６３１と膨出部６１１との間に摩擦力が作用するが、捕塵体２の回転を摩擦力によって阻害しないよう、咬合体６２の材料としてナイロンやポリアセタール等の低摩擦の材料が好適に用いられる。またこのとき捕塵体２の取り外しもスムーズになる。また、突起体６１の基部６１２の後端を滑らかに形成し、さらに狭持体６３の前面６３ａにおける切り欠き部６３２の周囲に、前方から後方に行くに従って縮径する切頭円錐面からなる傾斜面６３３を形成することによって、捕塵体２を筐体３にスムーズに装着することができる。また、本実施形態では、狭持体６３は上下に２つ設けられているが、３つ以上の狭持体を設けることも可能である。また、本実施形態は枠体６５、ばね体６４および狭持体６３が一体として成形され咬合体６２を構成しているが、別体に構成されたばねを用いて狭持体６３を付勢することも可能である。
【００３５】
筐体３の支持壁３６からは規制面７１ａ，７１ｂを備えたストッパー７が前方に向けて突設されている。規制面７１ａ，７１ｂは、捕塵体２が所定の角度回転したときに、後方壁２６の縁辺２６ａと当接して回転が止まるような位置に設定されており、これによって、収塵室２２が捕塵開口３３を通じて外部と連通することを防止している（図５参照）。規制面７１ａ，７１ｂは規制壁７２，７２に設けられており、また補強壁７３が規制壁７２，７２を結合することによって、ストッパー７の剛性を確保している。また、ストッパー７を支持壁３６から所定の長さ突出させると、収塵開口２３を下に向けた状態で捕塵体２を筐体３に挿入しても、後方壁２６がストッパー７と干渉して膨出部６１１と傾斜部６３１とが係合しないため、誤装着を防止することができる。
【００３６】
なお、本実施形態では筐体３から突出する部材が捕塵体２の回転を規制するよう構成されているが、筐体３の支持壁３６に回転軸９を中心とする円弧状の溝を設け、捕塵体２から突出する突起をこの溝に係合させるなど、捕塵体２の回転を規制する手段としてその他任意の構成を採用することが可能である。
【００３７】
筐体３の後方には柄８が後方に向けて延出されており、柄８の後部には、衣服ブラシ１をフックに引っ掛けたり、紐を通したりして利用可能な吊下孔８１が上下方向に貫通して形成されている。なお、本実施形態では柄８が筐体３から延設されているが、捕塵体２から前方に向けて延設することも可能である。
【００３８】
捕塵体２は、筐体３の着脱開口３２から挿入され、捕塵面２１とガイド面３１とが嵌合した状態で、筐体３の内部に保持される。このとき、突起体６１の膨出部６１１が狭持体６３の傾斜面６３１と係合し、かつ狭持体６３が回転軸９に向けて径方向に付勢されているため、突起体６１は後方に向けて力を受け、それに伴って捕塵体２と筐体３とが回転軸９方向に互いに係合するとともに、捕塵体２は後方に向けて付勢されることになる。これによって、捕塵面２１がガイド面３１に向けて付勢されることになり、捕塵ブラシ４１，４２と除塵ブラシ５１，５２との当接が維持される。また、突出壁２７において着脱開口３２から後方に位置する部分であって捕塵ブラシ４１，４２と周方向で反対側に、捕塵面２１上に位置する摺接面２８が設けられており、捕塵体２を筐体３に対して回転させる際、捕塵体２が上部に逃げて捕塵ブラシ４１，４２と除塵ブラシ５１，５２とが離間することを防止している。
【００３９】
ここで、製造公差の集積などにより捕塵面２１の径が設定していた径より大きくなったような場合でも、筐体３に対する捕塵体２の相対的な前後方向の位置を、設定していた位置よりも若干前方にずらすことにより、捕塵ブラシ４１，４２と除塵ブラシ５１，５２との当接の圧力を弱めることが可能となる。また、軸部６１３を必要な長さより若干長めに成型しておけば、捕塵体２の前後方向の位置に一定の範囲のあそびが生じ、このあそびによって上記の公差の集積を吸収することが可能となり、捕塵ブラシ４１，４２と除塵ブラシ５１，５２との当接の圧力が大きくなることを回避することができる。すなわち、捕塵体２の回しやすさについて、製品個体ごとの差が生じにくくなる。
【００４０】
次に本実施の形態に係る衣服ブラシの使用方法について、まず除塵の方法について図５に基づいて説明する。
【００４１】
操作部２７２を、後方から前方を見て時計方向に捻り、後方壁２６の縁辺２６ａがストッパー７の規制面７１ａに当接するまで捕塵体２を回転させ、捕塵開口３３から第１捕塵ブラシ４１を露出させる。そして第１捕塵ブラシ４１を衣服に当接させ、衣服ブラシ１を図５における右方向に動かすと、衣服に付着する塵埃Ｄがすくい上げられて第１捕塵ブラシ４１に捕集される（図５（ａ）参照）。これを何度か繰り返すと第１捕塵ブラシ４１に捕集され得る塵埃の最大量に達し、それ以上捕塵できなくなる。
【００４２】
次に、操作部２７２を、後方から前方を見て反時計方向に捻り、後方壁２６の縁辺２６ａがストッパー７の規制面７１ｂに当接するまで捕塵体２を回転させる。すると第１捕塵ブラシ４１は筐体３の内部に隠れるが、塵埃Ｄはまた第１捕塵ブラシ４１に付着したままである（図５（ｂ）参照）。
【００４３】
次に、操作部２７２を、後方から前方を見て時計方向に捻り、後方壁２６の縁辺２６ａがストッパー７の規制面７１ａに当接するまで捕塵体２を回転させる。この過程で、第１捕塵ブラシ４１に付着してた塵埃Ｄは、当接する第１除塵ブラシ５１によりすくい上げられ第１除塵ブラシ５１に移動する。したがって、第１捕塵ブラシ４１は再び捕塵開口３３から露出するが、このとき第１捕塵ブラシ４１には塵埃は付着していない（図５（ｃ）参照）。したがってこの状態で再び衣服の塵埃を捕集することも可能となる。
【００４４】
次に再び操作部２７２を、後方から前方を見て反時計方向に捻り、後方壁２６の縁辺２６ａがストッパー７の規制面７１ｂに当接するまで捕塵体２を回転させる。この過程で、第１除塵ブラシ５１に付着していた塵埃Ｄは第１捕塵ブラシ４１によってすくい上げられ、収塵開口２３を通って収塵室２２に移動する（図５（ｄ）参照）。
【００４５】
以上の過程を繰り返すことによって、衣服の塵埃Ｄは、第１捕塵ブラシ４１および第１除塵ブラシ５１を経由して、収塵室２２に収容されることになる。ここで、捕塵体２は後方に向けて、狭持体６３により弾性的に付勢されているため、第１捕塵ブラシ４１と第１除塵ブラシ５１との間に作用する圧力が強すぎることはなく、そのため使用者は捕塵体２を困難なく回転させることができる。
【００４６】
なお、上述の説明では第１捕塵ブラシ４１を使用して衣服の塵埃を除去する手順について説明したが、第２捕塵ブラシ４２を使用することも可能である。まず最初に、捕塵開口３３から第２捕塵ブラシ４２を露出させて衣服に当接させ、衣服ブラシ１を図５における左方向に動かし、塵埃Ｄを第２捕塵ブラシ４２で捕集し、その後上述の説明に記載の方向とそれぞれ反対方向に操作して捕塵体２を回転させることによって、捕集した塵埃を第２除塵ブラシ５２を経由して収塵室２２に移送することができる。
【００４７】
ここで、捕塵ブラシ４１，４２それぞれの周方向で略反対位置における操作部２７２の表面に、それぞれの捕塵ブラシを衣服に当接させた場合に塵埃を捕集するため動かすべき方向を、矢印等で標示するのが好適である。使用者は、捕塵開口３３から露出している捕塵ブラシを衣服に当接させて使用する場合、塵埃を捕集するためにはいずれの方向に動かすべきかを、この標示によって視認することができるからである。
【００４８】
また、図示の衣服ブラシ１では、第２捕塵ブラシ４２および第２除塵ブラシ５２が設けられているが、これらを設けず第１捕塵ブラシ４１と第２除塵ブラシ５１との組み合わせだけでも、衣服の塵埃を収塵室２２に移送することができる。
【００４９】
次に収塵室２２に収容された塵埃を排出する方法について図６に基づいて説明する。
【００５０】
操作部２７２を把持して前方に力を加えると、狭持体６３が径方向外側に移動して狭持体６３の傾斜面６３１と突起体６１の膨出部６１１との係合が解除され（図３参照）、捕塵体２と筐体３とが分離する。そして収塵室２２に収容された塵埃Ｄを排出することが可能となる。塵埃を排出した後、捕塵体２を着脱開口３２を通じて筐体３の内部に挿入し、狭持体６３の傾斜面６３１と突起体６１の膨出部６１１とを係合させれば、再び衣服の塵埃を除去する作業に供することが可能となる。このとき、基部６１２の後端の縁６１２ａが滑らかであれば係合がスムーズとなるため好適である（図３参照）。なお、捕塵体２を着脱開口３２から挿入して筐体３に装着する際、突起体６１が狭持体６３に到達するまで、捕塵ブラシ４１，４２と捕塵ブラシ５１，５２とは接触しないため、摩擦により挿入が阻害されることはなく容易に装着することができる。また摩擦を受ける機会が少ないため、着脱を繰り返しても捕塵ブラシ４１，４２および捕塵ブラシ５１，５２は摩耗しにくく、また傾斜パイルの傾倒方向が徐々に変わっていくというおそれもない。
【００５１】
（第２の実施形態）
本発明の第２の実施形態に係る衣服ブラシの側面図を図７に示す。以下においては、第１の実施形態との相違点を中心に説明し、対応する箇所には同一の符号を付して説明する。
【００５２】
第１の実施形態に係る衣服ブラシ１は、捕塵面２１の形状が回転軸９を中心とし後方から前方に向かって拡径する切頭円錐面であったが、第２の実施形態に係る衣服ブラシの捕塵面２１は、回転軸９と中心とし後方から前方に向かって拡径しつつも、回転軸９方向に沿って外に凸となるような形状の回転面となっている。この場合、捕塵面２１が捕塵開口３３の略中央部で突出しているため、捕塵面２１を衣服に当接させることが容易になる。なお、回転軸９に垂直な断面における捕塵面２１の半径が後方から前方に向けて単調に増加していれば、捕塵体２を着脱開口３２を通じて筐体３の内部に挿入して捕塵面２１とガイド面３１とを嵌合させることが可能であるため、図示の形状に限定されることはなく、例えば後方から前方に向けてラッパ状に拡径する曲面とすることも可能である。
【００５３】
（第３の実施形態）
本発明の第３の実施形態に係る衣服ブラシの側面部分断面図を図８（ａ）に、また係合部の拡大断面図を図８（ｂ）に示す。以下においては、第１の実施形態との相違点を中心に説明し、対応する箇所には同一の符号を付して説明する。
【００５４】
第１の実施形態に係る衣服ブラシ１は、捕塵体２と筐体３とを回転軸９方向に互いに係合する機能を突起体６１および狭持体６３により実現していたがこれに限定されるものではない。第３の実施形態では、図８に図示する通り、筐体３の着脱開口３２の近傍に、ガイド面３１から内側に向けて突出する突起３８を設け、また突起３８と略同一断面位置において、捕塵面２１に周方向に延びる溝２９を設け、突起３８が有する係合面３８ａと溝２９が有する傾斜２９ａとを係合させることにより、捕塵体２と筐体３とを回転軸９方向に互いに係合するとともに、捕塵体２を後方に向けて付勢している。また、筐体３を弾性変形させることにより係合を解除することも可能であり、捕塵体２を筐体３から分離することも可能となる。なお、突起３８をばねにより付勢することも可能であり、また突起３８をばね自身とすることも可能である。
【図面の簡単な説明】
【００５５】
【図１】本発明の第１の実施形態に係る衣服ブラシを示す側面図および底面図である。
【図２】図１の断面Ａ−Ａおよび断面Ｂ−Ｂを示す断面図である。
【図３】本発明の第１の実施形態に係る衣服ブラシにおける突起体と狭持体との係合を拡大して示す拡大断面図である。
【図４】本発明の第１の実施形態に係る衣服ブラシの咬合体を示した正面図である。
【図５】本発明の第１の実施形態に係る衣服ブラシの除塵作用を示す説明図である。
【図６】本発明の第１の実施形態に係る衣服ブラシの塵埃を排出する方法を示す説明図である。
【図７】本発明の第２の実施形態に係る衣服ブラシの側面図である。
【図８】本発明の第３の実施形態に係る衣服ブラシの側面断面図および拡大断面図である。
【符号の説明】
【００５６】
１  衣服ブラシ
２  捕塵体
２１  捕塵面
２２  収塵室
２３  収塵開口
２７１  端部
２７２  操作部
３  筐体
３１  ガイド面
３２  着脱開口
３３  捕塵開口
３４  第１縁部
３５  第２縁部
４１  第１捕塵ブラシ
４２  第２捕塵ブラシ
４３  分割線
５１  第１除塵ブラシ
５２  第２除塵ブラシ
６１  突起体
６１１  膨出部
６３  狭持体
６３１  傾斜面
７  ストッパー
８  柄
９  回転軸
【図１】
2010154894.tif 000003
【図２】
2010154894.tif 000004
【図３】
2010154894.tif 000005
【図４】
2010154894.tif 000006
【図５】
2010154894.tif 000007
【図６】
2010154894.tif 000008
【図７】
2010154894.tif 000009
【図８】
2010154894.tif 000010